【手続補正書】
【提出日】平成15年6月5日(2003.6.5)
【手続補正１】
【補正対象書類名】明細書
【補正対象項目名】特許請求の範囲
【補正方法】変更
【補正の内容】
【特許請求の範囲】
【請求項１】
開位置と閉位置の間の移動に対応できるように２つの部材を連結するヒンジ構造において、
一方の前記部材から他方の前記部材に延びるエラストマー要素を備え、前記エラストマー要素は前記２つの部材が前記閉位置にある場合、および前記２つの部材が前記開位置にある場合、外側に露出する外側表面を有し、前記エラストマー要素は２つの横マージンを有し、前記ヒンジ構造は前記エラストマー要素の横側の制約がない構造であり、したがって前記２つの部材が前記閉位置にある場合、および前記２つの部材が前記開位置にある場合、前記２つの横マージンが横に露出し、前記エラストマー要素の外側表面は、前記２つの部材が前記閉位置にある場合に張力がかかり、前記エラストマー要素は、前記開位置と閉位置の間の移動の間中前記２つの部材を前記閉位置から前記開位置に向かって移動させる力を加えるヒンジ構造。
【請求項２】
前記エラストマー要素は２つの横端面を有し、前記２つの端面の一方は前記２つの部材の一方に結合され、前記２つの端面の他方は前記２つの部材の他方に結合される、請求項１に記載のヒンジ構造。
【請求項３】
前記エラストマー要素は、前記２つの部材が前記開位置にある場合、前記２つの部材から離れて対向するように露出し、前記２つの部材が前記閉位置にある場合、前記２つの部材に向かって内側に対向する内側表面を有する、請求項１に記載のヒンジ構造。
【請求項４】
前記エラストマー要素は、前記２つの部材と共射出成形される、請求項１に記載のヒンジ構造。
【請求項５】
前記ヒンジ構造はさらに、前記２つの部材を連結させる薄膜ヒンジを含み、
エラストマー要素は、前記薄膜ヒンジに結合された内側表面を有し、
前記エラストマー要素内側表面は、前記２つの部材が前記閉位置にある場合、ほぼ中立な応力表面である、請求項１に記載のヒンジ構造。
【請求項６】
開位置と閉位置の間の移動に対応できるように２つの部材を連結するヒンジ構造において、
前記２つの部材を連結すると共に前記開閉位置間の軸線のほぼまわりに前記部材の少なくとも１つの移動を調整する薄膜ヒンジと、
一方の前記部材から他方の前記部材に延びるエラストマー要素を備え、前記エラストマー要素は、（１）前記２つの部材が前記閉位置にある場合、および前記２つの部材が前記開位置にある場合、外側に露出し、（２）前記２つの部材が前記閉位置にある場合、張力がかかる外側表面を有し、前記エラストマー要素は、前記薄膜ヒンジに結合され、前記２つの部材が前記閉位置にある場合、ほぼ中立な応力表面で前記軸線にほぼ平行な内側表面を有し、前記エラストマー要素は前記２つの部材を前記閉位置から前記開位置に向かって移動させる力を加えるヒンジ構造。
【請求項７】
エラストマー要素は２つの横端面を有し、
前記２つの端面の一方は前記２つの部材の一方に結合され、
前記２つの端面の他方は前記２つの部材の他方に結合される、請求項６に記載のヒンジ構造。
【請求項８】
前記エラストマー要素は、前記薄膜ヒンジおよび前記２つの部材と共射出成形される、請求項６に記載のヒンジ構造。
【請求項９】
前記ヒンジ構造は、容器開口部用栓に適合しており、前記栓は、（１）前記開口部上の前記容器に取り付け、前記開口部と連通する排出開口を画定する基部として働く、前記２つの部材の一方と、（２）前記開口を閉塞する閉位置と前記開口から間隔を置いた開位置の間で移動可能な蓋として働く前記２つの部材の他方とを含む、請求項６に記載のヒンジ構造。
【請求項１０】
開位置と閉位置の間の移動に対応できるように２つの部材を連結するヒンジ構造において、
一方の前記部材から他方の前記部材に延びるエラストマー要素を備え、前記エラストマー要素は、（１）前記２つの部材が前記閉位置にある場合、および前記２つの部材が前記開位置にある場合、外側に露出し、（２）前記２つの部材が前記閉位置にある場合、張力がかかる外側表面を有し、前記エラストマー要素は、前記２つの部材が前記開位置にある場合、前記２つの部材から離れて対向するように露出し、前記２つの部材が前記閉位置にある場合、前記２つの部材に向かって内向きに対向する内側表面を有し、前記エラストマー要素の内側表面は、前記２つの部材が前記閉位置にある場合圧縮され、前記エラストマー要素は、前記２つの部材を前記閉位置から前記開位置に向かって移動させる力を加えるヒンジ構造。
【請求項１１】
前記エラストマー要素は２つの横端面を有し、前記２つの端面の一方は前記２つの部材の一方と結合され、前記２つの端面の他方は前記２つの部材の他方と結合される、請求項１０に記載のヒンジ構造。
【請求項１２】
前記エラストマー要素は前記２つの部材と共射出成形される、請求項１０に記載のヒンジ構造。
【請求項１３】
前記ヒンジ構造は、容器開口部用栓に適合しており、前記栓は、（１）前記開口部上の前記容器に取り付け、前記開口部と連通する排出開口を画定する基部として働く、前記２つの部材の一方と、（２）前記開口を閉塞する閉位置と前記開口から間隔を置いた開位置の間で移動可能な蓋として働く前記２つの部材の他方とを含む、請求項１０に記載のヒンジ構造。
【手続補正２】
【補正対象書類名】明細書
【補正対象項目名】００３４
【補正方法】変更
【補正の内容】
【００３４】
図１〜９に図示する第１の実施形態では、ヒンジ構造８０は、栓構造の２つの部材、すなわち栓本体または基部５０と蓋７０とを連結する薄膜ヒンジ１０２（図５）を含む。現在企図されている好ましい実施形態では、薄膜ヒンジ１０２は栓の一体部品として一体成形され、したがって蓋７０と栓基部５０とを一体化する。材料としては、ポリプロピレンを使用することが好ましいが、ポリエチレンなど他の熱可塑性ポリマーを使用することもできる。


【手続補正３】
【補正対象書類名】明細書
【補正対象項目名】００５０
【補正方法】変更
【補正の内容】
【００５０】
エラストマー要素１０４Ａは、栓基部５０Ａから栓蓋７０Ａまで延びる。エラストマー要素１０４Ａは外側表面１０６Ａを有する。栓基部５０Ａおよび蓋７０Ａが閉位置にある場合（図１６および１７）、および基部５０Ａおよび蓋７０Ａが開位置にある場合（図１０から１５、および１８）、外側表面１０６Ａは外側に露出する。すなわち、表面１０６Ａは、栓基部５０Ａおよび蓋７０Ａの外部表面上の領域からアクセスすることができる。エラストマー要素１０４Ａは、栓が閉じた場合、栓本体５０Ａおよび蓋７０Ａに対向する内側表面１０８Ａを有する（図１７）。


【手続補正４】
【補正対象書類名】明細書
【補正対象項目名】００６７
【補正方法】変更
【補正の内容】
【００６７】
図２５を参照すると、エラストマー要素１０４Ｂは上縁部１２６Ｂおよび底縁部１２８Ｂをそれぞれ有し、これらの縁部はほぼ平行であり栓４０Ｂの開閉平面に対して水平に配置されることが分かる。この点が、上縁部１２６Ａおよび底縁部１２８Ａが、それぞれほぼ垂直方向または軸方向にアーチ状になっている、図１６に示す第２の実施形態のエラストマー要素１０４Ａと対照的である。しかし、ヒンジ構造の第３の実施形態の上縁部１２６Ｂおよび底縁部１２８Ｂは、栓の開平面に平行なほぼ水平な平面でアーチ状であり、水平面内のこのようなアーチ状構造は、ヒンジ構造８０Ｂの第３の実施形態を利用した栓４０Ｂの初期の成形したままの開構造を示す図２１で分かるだろう。